Podtech/llm-jp-corpus-v4-ja_patent huggingface dataset:
(57)【要約】      （修正有）【課題】簡単な構造で移動時の作業が簡単である機器収納用ラックを提供する。【解決手段】機器収納用ラック１の構造は、機器収納用ラックの本体４に取り付けられる、本体４を安定して設置させるためのスタビライザー３にキャスター格納ボックス５を形成し、キャスター格納ボックス５にはキャスター取り付け機構が設けられ、キャスター取り付け機構は、キャスターのレベル調整が可能である。【選択図】図１
2006156822.tif 000002
【特許請求の範囲】
【請求項１】
各種通信機器を収納し、容易に移動可能であるようにキャスターを取り付けた機器収納用ラックにおいて、前記機器収納用ラックの本体に取り付けられる、前記本体を安定して設置させるためのスタビライザーにキャスター格納ボックスを形成し、該キャスター格納ボックスにはキャスター取り付け機構が設けられ、該キャスター取り付け機構は、キャスターのレベル調整が可能であることを特徴とする機器収納用ラック。
【発明の詳細な説明】
【技術分野】
【０００１】
本発明は、各種通信機器を収納し、容易に移動可能であるようにキャスターを取り付けた機器収納用ラックに関するものである。
【背景技術】
【０００２】
従来、通信機器収納用ラックにスタビライザーとキャスターを取り付ける場合、それぞれをねじ締めにて、ラックの側面下部に取り付けていた。スタビライザーは長穴形状の取り付け穴を設け、取り付け穴にねじを挿通し締め付け固定していた。ラックを移動する際には、ねじを緩め、取り付け穴の下端部でねじを締め直しスタビライザーを高い位置で固定させ、キャスターを出して用いた。
【非特許文献１】星野商事株式会社  ＮＩＣＣＡＢＩ  ＣＡＴＡＬＯＧＵＥ  Ｖｏｌ．９  ２００２年６月発行
【発明の開示】
【発明が解決しようとする課題】
【０００３】
しかしながら、上記従来技術における機器収納用ラックでは、ラックを移動させるたびにスタビライザーのレベル調整を行わなくてはならず、作業効率が悪いという欠点があった。
【課題を解決するための手段】
【０００４】
本発明は、簡単な構造で移動時の作業が簡単である機器収納用ラックを提供することを目的とし、その構造は、機器収納用ラックの本体に取り付けられる、本体を安定して設置させるためのスタビライザーにキャスター格納ボックスを形成し、キャスター格納ボックスにはキャスター取り付け機構が設けられ、キャスター取り付け機構は、キャスターのレベル調整が可能であることを特徴とする。
【発明の効果】
【０００５】
本発明に係る機器収納用ラックは、機器収納用ラックの本体に取り付けられる、本体を安定して設置させるためのスタビライザーにキャスター格納ボックスを形成し、キャスター格納ボックスにはキャスター取り付け機構が設けられ、キャスター取り付け機構は、キャスターのレベル調整が可能であるため、容易にキャスターをキャスター格納ボックスから出し入れができる。機器収納用ラックは設置の時にはスタビライザーで安定させ、移動するときにキャスターを出すので、機器収納用ラックの移動時に必要な作業が簡単に行え、作業性の向上を図ることができる。
【発明を実施するための最良の形態】
【０００６】
本発明に係る機器収納用ラックは、移動時に必要な作業を簡潔にするという目的を、スタビライザーにキャスターを取り付けることで作業手間を省き実現した。
【実施例１】
【０００７】
本発明に係る機器収納用ラックを図１〜図４の添付図面に基づいて説明する。
【０００８】
ＬＡＮ用機器等を収納するための機器収納用ラック１には、移動可能であるように、キャスター２を取り付けている。また、設置したときに機器収納用ラック１を安定して床面に置くため、スタビライザー３を取り付けている。
【０００９】
スタビライザー３は略Ｌ字状に折曲形成されていて、ラック本体４の側面下部に設ける。ラック本体４の下端部と同じレベルにスタビライザー３を取り付け、通信機器用ラック１を床面に設置したときにぐらついたりしないように安定させるものである。
【００１０】
スタビライザー３にはキャスター格納ボックス５を形成し、キャスター２はスタビライザー３に組み込んで取り付ける。キャスター格納ボックス５の上部にキャスター２を取り付ける。キャスター２はキャスター格納ボックス５上部に設けたノブ６を回すと上下に動かすことが可能で、キャスター格納ボックス５から出したり、収納したりすることが容易にできる。機器収納用ラック１を移動させるときには、キャスター２をキャスター格納ボックス５から出す。また、設置後は、キャスター２をキャスター格納ボックス５に収納して、スタビライザー３を床面につけ、安定して機器収納用ラック１を設置する。
【００１１】
キャスター２の上下移動の機構については、キャスター格納ボックス５にはナット７が固定されていて、ナット７にはボルト８が挿通される。ボルト８の先端部にはノブ６が設けられ、ノブ６の回転動作によりボルト８が上下する仕組みとする。ボルト８の下端部にキャスター２が取り付けられ、ボルト８の上下動作に従ってキャスター２はキャスター格納ボックス５に収納されたり、出したりすることが可能である。
【００１２】
機器収納用ラック１の移動時には、ノブ６を回転させてキャスター２を上下させるだけなので、従来のスタビライザーを付け替えるタイプのものに比べて、作業性が向上する。
【産業上の利用可能性】
【００１３】
スタビライザーとキャスターとを有する機器収納用ラックは、移動の時に、スタビライザーを付け替える面倒な手間をかけることなく、キャスターを上げ下げでき、機器収納用ラックの移動が多い場合には特に有効である。
【図面の簡単な説明】
【００１４】
【図１】本発明に係る機器収納用ラックのキャスターを収納した状態を示す説明図である。（実施例１）
【図２】図１における側面図である。（実施例１）
【図３】本発明に係る機器収納用ラックのキャスターを収納した状態を示す説明図である。（実施例１）
【図４】図３における側面図である。（実施例１）
【符号の説明】
【００１５】
１    機器収納用ラック
２    キャスター
３    スタビライザー
４    ラック本体
５    キャスター格納ボックス
６    ノブ
７    ナット
８    ボルト
【図１】
2006156822.tif 000003
【図２】
2006156822.tif 000004
【図３】
2006156822.tif 000005
【図４】
2006156822.tif 000006
(57)【要約】      （修正有）【課題】ラックの背面からラック内部のメンテナンス作業を容易に行うことのできるラックの構造を提供する。【解決手段】ラック１の構造は、パネル５にメンテナンス用開口７を設け、メンテナンス用開口７は上下に分割されたパネル８ａ、８ｂにより施蓋されると共に、分割パネル８ａ、８ｂは上下それぞれがスライド移動可能であることを特徴とし、ラック１の背面側に多くのスペースがとれない場合にも、省スペースでメンテナンス作業を行うことができる。【選択図】図１
2006156823.tif 000002
【特許請求の範囲】
【請求項１】
四方に立設された柱にパネルを取り付けて成る各種通信機器等を収納するためのラックにおいて、前記パネルにメンテナンス用開口を設け、該メンテナンス用開口は上下に分割されたパネルにより施蓋されると共に、該分割パネルは上下それぞれがスライド移動可能であることを特徴とするラック。
【発明の詳細な説明】
【技術分野】
【０００１】
本発明は、四方に立設された柱にパネルを取り付けて成る各種通信機器等を収納するためのラックに関するものである。
【背景技術】
【０００２】
従来、図４に示すように、ラックの背面はねじ止めによりパネルで施蓋していた。パネルで施蓋されている場合には、メンテナンスのときにはねじを緩めてパネル全体をラックから取り外していた。
【０００３】
または、扉を取り付け、容易に開閉可能としていた。扉で施蓋されている場合には、開閉してメンテナンスしていた。また、ラックの背面側にスペースを広く取れず、扉の開閉が困難な場合には、扉体を両開きのタイプを用いて開閉範囲を小さくするようにしていた。
【非特許文献１】カワムララックカタログＮｏ．８  ２００３年７月１日発行
【発明の開示】
【発明が解決しようとする課題】
【０００４】
しかしながら、パネルで壁面が施蓋される場合は、ねじ止め作業が面倒であり取り外し作業に手間がかかっていた。またパネルを取り外すためにはパネルの前面に作業に必要なスペースを確保しなくてはいけなかった。
【０００５】
また、扉が用いられる場合にも、開閉作業は簡単であっても、扉を開閉するスペースを確保しなくてはならなかった。また、両開きの扉で必要なスペースを最小限にしても、ラックが複数連結されているような場合、扉を開放した状態では、隣のラックにかぶさってしまい、隣のラックのメンテナンス作業が滞ってしまう場合があり作業性が悪いという欠点があった。
【課題を解決するための手段】
【０００６】
本発明は、ラックの背面からラック内部のメンテナンス作業を容易に行うことを目的とし、その構造は、パネルにメンテナンス用開口を設け、メンテナンス用開口は上下に分割されたパネルにより施蓋されると共に、分割パネルは上下それぞれがスライド移動可能であることを特徴とする。
【発明の効果】
【０００７】
本発明に係るラックは、パネルにメンテナンス用開口を設け、メンテナンス用開口は上下に分割されたパネルにより施蓋されると共に、分割パネルは上下それぞれがスライド移動可能であるため、狭いスペースでもメンテナンス用開口を容易に開閉することができる。また、データセンタ内に連結してラックを設置するような場合にも、メンテナンス用開口は容易に開閉できメンテナンス作業がしやすいという利点がある。
【発明を実施するための最良の形態】
【０００８】
メンテナンス作業を容易に行えるようにするという目的をメンテナンス用開口を省スペースで開閉して実現した。
【実施例１】
【０００９】
本発明に係るラックの構造は図１〜図３の添付図面に基づいて説明する。
【００１０】
ＬＡＮ用機器等通信機器を収納するためのラック１は、底板２と柱３と天板４とで枠組みを構成する。柱３間にはパネル５を取り付けて壁面とする。ラック１の背面６側には配線が集中しラック１設置後、メンテナンスのため背面６側から作業するための、メンテナンス用開口７をラック１の背面６に設ける。メンテナンス用開口７は上下に分割された分割パネル８ａ、ｂにより施蓋される。
【００１１】
分割パネル８ａ、ｂにはハンドル９が設けられ、ハンドル９に手をかけて分割パネル８ａ、ｂを上下にスライド移動可能に構成している。ハンドル９の動作に連動するロッド１０を分割パネル８ａ、ｂの裏面に取り付ける。ロッド１０の位置に対向させてパネル５のメンテナンス用開口７周縁部にロッド穴１１を設ける。ロッド１０がロッド穴１１に挿通されたとき、分割パネル８ａ、ｂは閉じた状態または開いた状態で保持される。また、分割パネル８ａ、ｂを動作させるときには、ハンドル動作によりロッド１０のロッド穴１１への係合を解除して行う。
【００１２】
図１では、通常のラックの使用状態を示し、分割パネルは上下８ａ、ｂとも閉じられている。上側の機器または配線のメンテナンスを行う場合には、上側分割パネル８ａのハンドル９を操作し、ロッド１０を連動させてパネル５への係合を解除し、上側分割パネル８ａを下方へスライド移動させる。また、下側の機器または配線のメンテナンスを行う場合には、下側分割パネル８ｂのハンドル操作によりロッド１０を連動させてパネル５への係合を解除し、下側分割パネル８ｂを上方へスライド移動させる。分割パネル８ａ、８ｂの上下のスライド移動でラック１のパネル５を開閉でき、従来のようにパネル５を取り外したり、扉の回動動作により開閉したりするものにくらべ、省スペースで動作させることができる。
【産業上の利用可能性】
【００１３】
リアパネルを上下にスライド移動させ、ラックの背面を開放するため、メンテナンスのための作業スペースを小さくすることができ、データセンター等でラックを多く連結して設置するような、作業スペースを多く取れないような状況でも適用できる。
【図面の簡単な説明】
【００１４】
【図１】ラックの実施例を示す説明図である。（実施例１）
【図２】図１におけるリアパネルをラック内部からみた説明図である。（実施例１）
【図３】図１におけるリアパネルを下げた状態を示す説明図である。（実施例１）
【図４】図１におけるリアパネルを上げた状態を示す説明図である。（実施例１）
【図５】従来のラックを示す説明図である。
【符号の説明】
【００１５】
１    ラック
２    底板
３    柱
４    天板
５    パネル
６    背面
７    メンテナンス用開口
８ａ  上側分割パネル
８ｂ  下側分割パネル
９    ハンドル
１０  ロッド
１１  ロッド穴
【図１】
2006156823.tif 000003
【図２】
2006156823.tif 000004
【図３】
2006156823.tif 000005
【図４】
2006156823.tif 000006
【図５】
2006156823.tif 000007
(57)【要約】【課題】  フラッシュパネルの隅部に丸みをつけるのに要する煩雑な加工を解消し、加工の手間を省く。【解決手段】  枠組みされた芯材１の表裏面および木口５に表面材が貼着されて形成され、少なくとも一辺の隅部がＲ面取りされたフラッシュパネルであって、Ｒ面取りされる部分を構成する芯材の隅部に外径が円形である丸部材６が配置され、この丸部材に対応する位置の裏面側に溝部が形成された表面材が、その溝部に丸部材を収容した状態で丸部材の外形形状に追従して芯材に貼着される。【選択図】図１
2006090027.tif 000002
【特許請求の範囲】
【請求項１】
枠組みされた芯材の表裏面および木口に表面材が貼着されて形成され、少なくとも一辺の隅部がＲ面取りされたフラッシュパネルであって、Ｒ面取りされる部分を構成する芯材の隅部に外形が円形である丸部材が配置され、この丸部材に対応する位置の裏面側に溝部が形成された表面材が、その溝部に丸部材を収容した状態で丸部材の外形形状に追従して芯材に貼着されたことを特徴とするフラッシュパネル。
【発明の詳細な説明】
【技術分野】
【０００１】
本願発明は、フラッシュパネルに関するものである。
【背景技術】
【０００２】
内装ドア等に用いられるフラッシュパネルについては、隅部がＲ面取りされたものが知られている。Ｒ面取りを低コストで行う方式として、従来、縦框の木口面側の両隅部に、断面形状が略扇形をした凸条を一体に設け、表面材である薄板の内面に２本の溝部を形成し、各溝部の底面が各凸条の湾曲面に嵌合するように薄板を芯体の表面から裏面にかけて張り付けるものが知られている（たとえば、特許文献１参照）。
【特許文献１】特許第３１１３８５４号公報
【発明の開示】
【発明が解決しようとする課題】
【０００３】
しかしながら、上記方式においては、断面形状が略扇形をした凸条を設ける必要があり、しかも凸条は縦框と一体に設けなければならないため、そのための加工が煩雑であるという欠点がある。
【０００４】
本願発明は、このような事情に鑑みてなされたものであり、隅部に丸みをつけるのに要する煩雑な加工を解消し、加工の手間を省くことのできるフラッシュパネルを提供することを解決すべき課題としている。
【課題を解決するための手段】
【０００５】
本願発明は、上記の課題を解決するために、枠組みされた芯材の表裏面および木口に表面材が貼着されて形成され、少なくとも一辺の隅部がＲ面取りされたフラッシュパネルであって、Ｒ面取りされる部分を構成する芯材の隅部に外形が円形である丸部材が配置され、この丸部材に対応する位置の裏面側に溝部が形成された表面材が、その溝部に丸部材を収容した状態で丸部材の外形形状に追従して芯材に貼着されたことを特徴としている。
【発明の効果】
【０００６】
本願発明のフラッシュパネルによれば、フラッシュパネルの辺の隅部のＲ面取りを簡便かつ正確に行うことができる。
【０００７】
なお、芯材を木で構成するとともに、丸部材を金属またはプラスチックから形成すれば、芯材の枠組みを容易としつつ、物と接触しやすい隅部の強度を向上させることができる。
【発明を実施するための最良の形態】
【０００８】
以下、図面に沿って本願発明のフラッシュパネルについてさらに詳しく説明する。
【０００９】
図１は、本願発明のフラッシュパネルの一実施形態の内部構造を示した分解斜視図である。
【００１０】
フラッシュパネルの芯材１は、対向配置された一対の木製の縦框２の間に、同じく木製の縦枠材３および横枠材４が適宜組み合わされて枠組みされている。芯材１の枠組みは容易となっている。
【００１１】
この芯材１の四辺の隅部、すなわち縦框２の木口５側の隅部に、断面の外形が円形である丸部材６が配置される。丸部材６は、断面の外形が円形である限り各種のものとするができる。棒材、パイプ等が例示される。材質としては、アルミニウム、鉄等の金属、プラスチック等が例示される。このような丸部材６は、芯材１の表裏面および木口５に貼着される表面材により、芯材１の四辺の隅部に配置される。
【００１２】
図２は、表面材の一実施形態を示した断面図である。
【００１３】
表面材７は、ＭＤＦ（中密度繊維板）等から形成される本体８と、本体８の表面にラミネートされた化粧シート９とから形成されている。表面材７においては、芯材１に貼着されるときに丸部材６に対応する位置の裏面側が略Ｕ字状に切り欠かれ、溝部１０が形成されている。溝部１０は、本体８の裏面から化粧シート９がラミネートされた表面に向かって切り欠かれて形成されている。
【００１４】
このような表面材７は、図３に示したように、化粧シート９が露出するように芯材１の表裏および木口５に貼着されるが、その際に、前述の丸部材６を溝部１０に収容し、丸部材６の外形形状に追従して芯材１に貼着される。したがって、表面材７は、丸部材６を溝部１０に収容するときに丸部材６の外形に沿って丸く曲がる。このため、作製されるフラッシュパネルの四辺の隅部は、図４に示したように、Ｒ状に面取りされる。
【００１５】
このように、丸部材６を用い、丸部材６を収容する溝部１０を表面材７に形成しておくことにより、フラッシュパネルの辺の隅部をＲ面取りすることができる。したがって、従来、フラッシュパネルを作製する際のＲ面取りに要した煩雑な加工が解消され、加工の手間が省かれる。しかも、物と接触しやすいフラッシュパネルの隅部は、丸部材６の存在により強度が高まり、破損等が抑制される。
【００１６】
もちろん、本願発明は、以上の実施形態によって限定されるものではない。芯材の構成および構造、丸部材および表面材の構成および材質等の細部については様々な態様が可能であることはいうまでもない。
【図面の簡単な説明】
【００１７】
【図１】本願発明のフラッシュパネルの一実施形態の内部構造を示した分解斜視図である。
【図２】表面材の一実施形態を示した断面図である。
【図３】フラッシュパネル作製時の隅部の構造を示した要部断面図である。
【図４】フラッシュパネルの要部斜視図である。
【符号の説明】
【００１８】
１    芯材
２    縦框
３    縦枠材
４    横枠材
５    木口
６    丸部材
７    表面材
８    本体
９    化粧シート
１０    溝部
【図１】
2006090027.tif 000003
【図２】
2006090027.tif 000004
【図３】
2006090027.tif 000005
【図４】
2006090027.tif 000006
(57)【要約】【課題】  合成樹脂目地材２の軟質部分６に化粧材を押接することにより木口面が密着して気密性、水密性に優れた目地が得、軟質材の変形で化粧材の寸法変化に追従するものとする。しかも施工が容易で、見栄えのするものとする。【解決手段】  目地部に挿着される断面略ハット型の合成樹脂目地材２であって、鍔部３、３´として断面Ｌ字形の２個の硬質材を、その短辺部５、５´同士を隙間を開けて向き合わせし、上部には該隙間を跨いで側壁が幾分上方に開き気味の断面略Ｍ字形の軟質材を接合する。【選択図】  図１
2006090008.tif 000002
【特許請求の範囲】
【請求項１】
目地部に挿着される断面略ハット型の合成樹脂目地材であって、鍔部が断面Ｌ字形の２個の硬質材がその短辺部を隙間を開けて向き合わされ、上部には該短辺部を跨いで側壁が幾分上方に開き気味の断面略Ｍ字形の軟質材が接合されてなることを特徴とする合成樹脂目地材。
【発明の詳細な説明】
【技術分野】
【０００１】
本発明は化粧材を施工する際に用いる合成樹脂目地材に関する。
【背景技術】
【０００２】
従来、壁面に化粧材を施工する場合、化粧材同士を目透かしで納めたり、繋いで接合していた。納める際には釘、ネジ、接着で固定したり、装飾性を高めるためにＴ型、ハット型、エの字型など各種形状の合成樹脂目地材を用いて固定するのが一般的である。釘止め、ネジ留めが困難な化粧材の場合は、施工の簡便さ、見た目の美しさの面から下部に基盤部を設け上部に傘部が設けられたエの字型の合成樹脂目地材を用いて施工されている。
【発明の開示】
【発明が解決しようとする課題】
【０００３】
しかしながら、軟質材のみから合成樹脂目地材では押しつぶされたり、また硬質材のみから合成樹脂目地材では化粧材の寸法精度、及び化粧材の厚みの変化、長さ、巾の変化に追従できず、長期に渡り使用していると歪みが生じることがあった。
【０００４】
【特許文献１】実開平１−５０５５４号
【特許文献２】特開平１０−６１１４４号
【特許文献３】実開平２−１３９２４３号
【課題を解決するための手段】
【０００５】
本発明は、かかる従来の欠点を解消すべく検討されたもので、化粧材の寸法精度の悪さ及び寸法変化をカバーできる合成樹脂目地材を提供することを目的とするもので、以下のことを特徴とする合成樹脂目地材である。すなわち、請求項１記載の発明は、目地部に挿着される断面略ハット型の合成樹脂目地材であって、鍔部が断面Ｌ字形の２個の硬質材がその短辺部を隙間を開けて向き合わされたものであり、上部には該短辺部を跨いで幾分上方に開き気味の断面略Ｍ次形の軟質材が接合されてなることを特徴とする合成樹脂目地材である。
【発明の効果】
【０００６】
本発明によれば、合成樹脂目地材の軟質部分に化粧材を押接することにより木口面が密着して気密性、水密性に優れた目地が得られ、軟質材の変形で化粧材の寸法変化に追従する。
【発明を実施するための最良の形態】
【０００７】
以下、本発明を図面に基づいて詳細に説明する。図１は本発明の合成樹脂目地材の正面図である。
基盤片となるのは断面Ｌ字形の２個の硬質材である。硬質材はその短辺部５、５´が幾分隙間を開けて向き合い、該短辺部５、５´の上には隙間を跨いで軟質材６が接合されている。隙間を空けることにより、化粧材が圧接されるとその弾性により反発し、化粧材に密着する。
軟質材６は断面略Ｍ字形で上方に幾分開き気味になっており、化粧材を押接するようになっている。このように軟質材６の頭部を凹ませＭ字形にすることにより、化粧材の伸縮を中央付近で吸収し、合成樹脂目地材２が上に飛び出ることがない。
このように軟質材と硬質材を組み合わせることにより、硬質材の隙間と軟質材で弾性を持たせ、硬質材の鍔部３、３´では化粧材が接着剤にて水平に固定される。
【０００８】
本発明の合成樹脂目地材２の製造については、従来から一般にプラスチックの押し出し成形に用いられている装置を用いて行えばよく、ラム型押し出し機、単軸スクリュー型押し出し機、ベント型押し出し機などのスクリュー型押し出し機などに軟質樹脂と硬質樹脂を供給し、溶融され、成形用ダイから押し出される。とりわけ、連続操業可能なスクリュー型押し出し機がより好ましい。
【０００９】
用いられる熱可塑性樹脂としては、軟質樹脂として、軟質ポリプロピレン、軟質ポリエチレン、軟質塩化ビニル、軟質アクリルニトリル−ブタジエン−スチレン（ＡＢＳ）などが挙げられ、硬質樹脂として、硬質アクリルニトリル−ブタジエン−スチレン（ＡＢＳ）、硬質ポリプロピレン、ポリスチレン、硬質ポリエチレン、硬質塩化ビニルなどが挙げられる。本発明では軟質ＡＢＳと硬質ＡＢＳが用いられている。
【００１０】
化粧材については特に制約はなく、メラミン樹脂、ジアリルフタレート樹脂、不飽和ポリステル樹脂、あるいはこれらの樹脂を併用した混合樹脂などの熱硬化性樹脂よりなる熱硬化性樹脂化粧板、合板、パーティクルボード、中密度繊維板などの木質系基材に樹脂含浸化粧紙を積層接着した化粧合板、同様の木質系基材に塩化ビニルシート、突板などを積層接着した塩ビ化粧合板や突板化粧合板、石膏ボード、ケイカル板などの無機質基材に樹脂含浸化粧紙、塩化ビニルシート、突板などの化粧シートを積層接着した複合化粧材など広く一般に知られているものが適用できる。
【００１１】
また、上記以外にも、意匠性、耐水性、耐熱性、剛性を有するものであれば特に限定はされず、例えば、アクリル樹脂、不飽和ポリエステル樹脂などの樹脂を注型成形した注型品や、不飽和ポリエステル樹脂を用いてフィルム成形して得られるポリエステル樹脂化粧板などが適用できるが、好ましくは、耐汚染性、耐摩耗性にも優れた性能を有し、傷がつきにくい注型品や、メラミン樹脂化粧板を用いるのが好ましい。
【図面の簡単な説明】
【００１２】
【図１】本発明の合成樹脂目地材の正面図。
【符号の説明】
【００１３】
２    合成樹脂目地材
３    鍔部
３´  鍔部
５    短辺部
５´  短辺部
６    軟質材
【図１】
2006090008.tif 000003
(57)【要約】      （修正有）【課題】地球引力を利用して電気を創出する。【解決手段】円盤体１の側面に多数個の重り体２を等間隔に配置し、この重り体の基部は溝孔７に支軸８を、胴体には支棒３、４を設け、円盤体の回転により右側においては重り体はその自重にて次第に下方に傾くにしたがい支棒３を押圧し支棒の抵抗によって重り体は外方に突き出され、左側においてはおなじく重り体がその自重により支棒４下圧し重り体は支棒４の抵抗にて内方に突き戻される。このようにして右側重く左は引力減殺されることで左右引力均衡がくずれ円盤体は継続自転する。【選択図】図１
2006090290.tif 000002
【特許請求の範囲】
【請求項１】
円盤体（１）の側面に多数個の重り体（２）を等間隔に配置し、この重り体の基部は溝孔（７）に支軸（８）を、胴体には支棒（３）（４）を設け、円盤体の回転により右側においては重り体の下圧により支棒（４）が重り体を外方に突き出し、左側においては同じく支棒（３）により重り体を内方に突き戻す装置を円盤体両面に双備して成る回転動力機
【発明の詳細な説明】
【技術分野】
【０００１】  本発明は、発電エネルギー源を地球の引力を利用して創出しようとするものである。［背景技術］【０００２】  従来の発電は、水力・火力・原子力を主力としてきたが、近年ではその環境に及ぼす悪影響から、クリーンエネルギー源として風力・太陽光・地熱等が見直されつつある。［発明の開示］［発明が解決しようとする課題］【０００３】  上述のような観点から本発明は、地球の引力をエネルギー源として利用することによって最もクリーンにして低コストの発電を得ようとするものである。［課題を解決するための手段］【０００４】  本発明は、円盤体（１）の回転をはかるために、重り体（２）を円盤体周面に多数個を等間隔に配置し、円盤体の回転により重り体の位置・姿勢が変化を来たし、よって重り体左右の引力均衡がくずれることにより、円盤体の継続自転をはかるものである。［発明の効果］【０００５】  風力・太陽光発電等と同じくクリーン発電エネルギー源として、その原資はいつでも・どこでも無料・無限の地球引力を利用することにより、設備費・維持費にも多くを要しない有益発明を提供する。［発明を実施するための最良の形態］【０００６】  円盤体側面に重り体（２）を放射状に配置し、これの基部は支軸（８）で、胴体部は、支軸（５）（６）および（３）（４）で支え円盤体の回転により左右に遊動するものとする。【０００７】  円盤体の回転により右側においては、重り体（２）はその自重によって次第に下方に倒れ、その下圧によって支棒（３）が右に倒れると共に重り体（２）は支棒（３）によって外方に突き出される。【０００８】  左側においては回転によって重り体（２）が左上方に上昇すると共にその自重による下圧が支棒（４）にかかると共に内方に突き戻される。このようにして重り体の位置の移動で左右引力均衡がくずれ、円盤体は継続自転する。［産業上の利用可能性］【０００９】  大気汚染の浄化に期待が寄せられる風力・太陽光発電等に伍してその一翼に加わることができればと願うものである。即ち本発明は、天秤の平衡に見る如く片方の引力に加力または減殺を行なえば片力が動き出す原理に基ずくものであり、いつでも・どこでも無料・無限の地球引力を利用し、産業上有益なクリーンエネルギーを創出する。【００１０】  本発明は、単体ではその力を大きく発揮することはできないであろう。期待される強力回転力を得るためには、本回転機多数個を軸心に連結し、またはこれを大型化・重量化あるいは磁石の吸引・反発の磁性を利用するなど加力方途に、間断なき引力利用によって剰余電気をバッテリー蓄積し、究極としてはその電気を本回転機に用いることにより引力を援用し自給自足の態勢をつくりあげる。
【図面の簡単な説明】
【００１１】
【図１】本発明の概略側面図
【図２】本発明の要部拡大図
【符号の説明】
【００１２】１．円盤体２．重り体３．支棒４．支棒５．支軸６．支軸７．溝孔８．支軸
【図１】
2006090290.tif 000003
【図２】
2006090290.tif 000004
(57)【要約】【課題】  流体の慣性、すなわち直線軌道に従おうとする運動物体の傾向による遠心力効果を利用し、マガリ円筒導流管の外周８面に発生する高密度の流れを利用する回転装置の開発。【解決手段】  前期課題を解決するため、マガリ円筒導流管回転装置を開発した。この装置は、流体をマガリ円筒導流管に流し、遠心力効果を利用して、回転力をとりだす手段である。【選択図】    図２
2006090217.tif 000002
【特許請求の範囲】
【請求項１】
（１）円筒回転室１の接線方向に流入管２と、その反対側に互いに接線方向が直交する排出管３を設置した構成からなるマガリ円筒導流管回転装置。
（２）円筒回転室１内の両側面の中央に軸受６を介して、回転軸４を通した構成からなるマガリ円筒導流管回転装置。
（３）回転軸４に互いに垂直方向に４個制流板７を固着し、半円形の羽根５を複数個制流板７の両端に設置した羽根支持円盤９に固着し、円筒回転室１内で回転自由とした構成から成るマガリ円筒導流管回転装置。
以上、（１）、（２）、（３）の構成から成る装置を特徴とするマガリ円筒導流管回転装置。
【発明の詳細な説明】
【技術分野】
【０００１】
本発明は、高圧流体をマガリ円筒導流管に流す場合に、マガリ円筒導流管の外周に発生する慣性力、すなわち直線軌道に従おうとする運動物体（流体）、の傾向により遠心力効果で、外周８面に、高密度の流れが生じ、そこに存在する羽根５により高効率の回転機械として、発電・動力機械の提供を行うものである。
【背景技術】
【０００２】
従来この種の技術は、直線導流管でプロペラ羽根を用いたものが主で、マガリ円筒導流管を用いた回転装置は未開発の分野である。
【発明の開示】
【発明が解決しようとする課題】
【０００３】
マガリ円筒導流管回転装置は、構造が簡単で横軸連結が容易で大量流体ノエネルギー変換が可能で、製造費も安く、高出力のエネルギーを回転機械として提供することにある。
【課題を解決するための手段】
【０００４】
上記目的を達成するための手段として、この発明は図２に示すように、マガリ円筒導流管を使用し、流入管２と排出管３を互いに直角に接線方向に接続し、回転軸４羽根５をとりいれた円筒回転室１を設置した回転装置。
【発明の効果】
【０００５】
マガリ円筒導流管回転装置は液体・気体・水蒸気等いずれの流体に使用可能である。
【発明を実施するための最良の形態】
【０００６】
水道水利用の場合は水道管に連結し、河川の滝を利用する場合は滝の下に導流管に連結し、高圧流体利用の場合は高圧流体発生装置と連結して使用することが最良の形態。
【実施例１】
【０００７】
発明の実施形態を実施例にもとずき、図面を参照して説明すると、図１はマガリ円筒導流管回転装置の正断面図である。図２はA―A矢視断面図である。図３は羽根５、回転軸４、制流板７の構成斜視図である。図２において流入管２より円筒回転室１に流入した流体は慣性力高密度の流体となり外周面８を通過し排出管３より円筒回転室１の外へ流出する。この流れにより羽根５を押動し回転軸４が回転する。
【０００８】
上述のように、円筒回転室１において、流体のエネルギーが回転力に変換され回転装置として利用される。
【産業上の利用可能性】
【０００９】
本発明は以上説明したように、構成されているので以下に記載されるような効果を奏する。
【図面の簡単な説明】
【００１０】
水道水を初め、すべての流体に適応できる装置で河川でのポンプ作用や発電、水蒸気を利用した蒸気機関等多目的に利用可能な装置である。
【図１】マガリ円筒導流管回転装置の正断面図である。
【図２】図１のＡ−Ａ矢視断面図である。
【図３】羽根５回転軸４制流板７の構成斜視図である。
【符号の説明】
【００１１】
１  円筒回転室
２  流入管
３  排出管
４  回転軸
５  羽根
６  軸受    
７  制流板
８  外周
９  羽根支持円盤
【図１】
2006090217.tif 000003
【図２】
2006090217.tif 000004
【図３】
2006090217.tif 000005
(57)【要約】【課題】  従来は、強風時の回転に難があった。【解決手段】  翼状羽根の、裏面を鈎状に切り取った形１とし、羽根前方からの風で、表面揚力が働き、回転し、羽根後方からの風で、鈎状面に当たる風圧力との両方で、回転力を得るもので、弓状に曲げ、剛性を高め、翼表面に連結孔部２を設けた羽根３と、翼裏面に連結孔部４を設けた、羽根５を形成。羽根支持は、舵輪状支持体６とし、芯部７より、腕木８を設け、連結板部９を付設、腕木間を、棒体１０を付設、心棒１１に取付、表面が外側になる、腕木を長く、裏面が外側になる腕木を短くすれば、効率よく、風が当たる、裏面が外側になる羽根を、六本支持体１２に取付、風圧力を主回転力とし、風車台１３、主柱台１４を、バネ１５で連結、強風で風車が傾き、強風を逃がしながら、風車は回転する。【選択図】    図３
2006090293.tif 000002
【特許請求の範囲】
【請求項１】
翼状羽根裏面を、鈎状に切り取りとった、風車羽根。
【請求項２】
半円状に曲げた、翼状羽根表面、裏面に、差し込み連結孔を設けた、風車羽根。
【請求項３】
羽根支持腕木中間を曲げ、連結板を設けた、舵輪状羽根支持体。
【請求項４】
風車台と支柱台を、バネで連結した、風車。
【発明の詳細な説明】
【発明の詳細な説明】
【０００１】  本発明は、揚力、風圧で回転を促し、強風に適応する、風車を得る事にある、
【０００２】  従来は、金属製、翼状羽根の、揚力で回転を促していたが、強風時の回転に難があり、製作費が高くなる等の欠点があった。
【０００３】  図について、説明すれば、
一、五図は、翼状羽根の、裏面を鈎状に切り取った形１とし、羽根前方からの風で、表面揚力が働き、回転力とし、羽根後方からの風で、鈎状面に当たる、風圧力との両方で、回転力を得るもので、全体を弓状に曲げ、剛性を高め、翼表面に、差し込み連結孔部２を設けた翼状羽根３と、翼裏面に差し込み連結孔部４を設けた、翼状羽根５を形成する。羽根支持は、舵輪状八本支持体６とし、芯パイプ部７より、風圧抵抗の少ない、楕円状腕木８の中間を曲げた形で設け、先端に、差し込み連結板部９を付設、腕木間を、楕円棒体１０を半円状に付設、腕木の強化を図る。心棒体１１に、向かい合わせて取付固定、連結孔部を表面に設けた羽根と、裏面に設けた羽根を、交互に取付、ボルト穴１２等で固定すれば、全体が一体化し、剛性が高まる、
順風時の、揚力による回転は速く、表面が外側になる、羽根腕木を長くし、裏面が外側になる、羽根腕木を短くする事で、揚力回転と、風圧回転とを同時にする事が可能となり、回転圧力の、大きい風車となる。
金型による、一体成形とすれば、大量生産も可能で、製作費も低く出来る。
六−八図は、翼状羽根裏面を、鈎状に切り取り、表面に差し込み連結孔部を設け形成した、翼状羽根を、舵輪状六本支持体１３と組み合わせた、風車で、鈎状切り取り面に当たる、風圧力を主回転力とし、強風に適した物となり、風車台１４と、主柱台１５を、バネ１６ボルト等で連結する、強風時にバネが作動し、風車台、風車が斜めに傾き、暴風等の強風を逃がしながらの風車回転となり、圧力の大きい、安定した回転が得られる、風車となる。
九−十図は、鈎状切り取り面を、外側とし、舵輪状四本支持体１７と組立、強風時の、表面揚力と、裏面風圧力を、同時の働き、回転力とするもので、強風時に適応した風車となる。回転圧力が高く、プロペラ等を装着すれば、風力揚水、水質浄化、養殖漁場への酸素供給等、農業、漁業振興に役立つ、風車となる。、
【図面の簡単な説明】
【図１】翼状羽根表面に、取付孔部を設けた、実施例を示す、一部断面構成図である。
【図２】翼状羽根裏面に、取付孔部を設けた、実施例を示す、一部断面構成図である。
【図３】舵輪状支持体に、翼状羽根を取付た、実施例を示す、一部断面平面図である。
【図４】舵輪状支持体に、翼状羽根を取付た、実施例を示す、一部断面側面図である。
【図５】舵輪状支持体に、翼状羽根を取付た、実施例を示す、斜視図である。
【図６】舵輪状六本支持体に、表面に取付孔部を設けた羽根だけを取付た、実施例を示す、一部断面平面図である。
【図７】舵輪状六本支持体に、羽根を取付た、実施例を示す、一部断面側面図である。
【図８】舵輪状六本支持体に、羽根を取付た、実施例を示す、斜視図である。
【図９】舵輪状四本支持体に、羽根を取付た、実施例を示す、一部断面平面図である。
【図１０】舵輪状四本支持体に、羽根を取付た、実施例を示す、一部断面側面図である。
【図１】
2006090293.tif 000003
【図２】
2006090293.tif 000004
【図３】
2006090293.tif 000005
【図４】
2006090293.tif 000006
【図５】
2006090293.tif 000007
【図６】
2006090293.tif 000008
【図７】
2006090293.tif 000009
【図８】
2006090293.tif 000010
【図９】
2006090293.tif 000011
【図１０】
2006090293.tif 000012
(57)【要約】      （修正有）【課題】地球引力を利用して電気を創出する。【解決手段】基盤４の周辺に多数個の支板３を等間隔に放射状に埋設固定し、支板の先端に重り体１を連結し屈曲をはかり、これらの一面にバネ２を附設し当初手動からはじまる回転で右側重り体には引力が直截に強く作用し、左側においては連結部で腰折れ、引力は減殺される。このようにして左右重り体の引力均衡をくずして本機の継続回転を計るものである。【選択図】図１
2006090291.tif 000002
【特許請求の範囲】
【請求項１】
基盤（４）に多数個の支板（３）を等間隔に放射状に埋め込み固定し、支板の先端に重り体（１）を連結し、屈曲をはかり、これらの一面にバネ（２）を附設し、基盤の回転により右側重り体には引力が直截に強く作用し、左側においては連結部で腰折れ引力は減殺される。このようにして左右重り体の引力均衡がくずれることで基盤が継続自転する回転動力機。
【発明の詳細な説明】
【技術分野】
【０００１】  本発明は、発電エネルギー源を地球の引力を利用して創出しようとするものである。［技術背景］【０００２】  従来の発電は、火力・水力・原子力を主力としてきたが、近年ではその環境に及ぼす悪影響からクリーンエネルギー源として風力・太陽光・地熱等が見直され、未だ微力ながら次第に世の認知が深まり確実に地歩を固めつつある。［発明の開示］［発明が解決しようとする課題］【０００３】  上述のような観点から本発明は、地球の引力をエネルギー源として利用することによって最もクリーンにして低コストの発電を行なおうとするものである。［課題を解決するための手段］【０００４】  本発明は、基盤（４）に多数個の支板（３）を等間隔に放射状に埋め込み、支板の先端に重り体（１）を連結し屈曲をはかり、これらの一面にバネ（２）を附設し、基盤の回転により右側重り体には引力が直截に強く作用し、左側においては重り体が連結部で腰折れ引力が減殺される。このように左右重り体の引力均衡がくずれることで本体は継続自転する。［発明の効果］【０００５】  風力・太陽光発電等と同じくクリーン発電エネルギー源として、その原資はいつでも、でこでも無料・無限の地球引力を用いることにより設備費・維持費にも多くを多くを要しない有益発明を提供する。［発明を実施するための最良の形態］【０００６】  天秤の平衡に見る如く、片方の重りに加力又は減殺を行なえば片方が動き出す原理を応用し、即ち本体の回転により重り体の位置・姿勢が変化を来たし、右側においては、重り体は引力を直截に受けて下方に動こうとし、左側重り体は引力およびバネの力で一定の角度で折れ止まり引力は減殺し上辺に至りバネの力ではね起き右方に倒れる。以上作動の繰り返しで本体は継続自転する。［産業上の利用可能性］【０００７】  大気汚染等の浄化に期待が寄せられる風力・太陽光発電等と同列に位置することができるのではなかろうか。即ち本発明は、天秤の平衡に見る如く自然現象の活用であり、いつでも、どこでも無料・無限の地球引力を利用し、産業上また人類生存に極めて有益なクリンエネルギーを創出する。【０００８】  本発明は、単機では期待される電力を得ることはできないであろう。創出電力を強めるには本回転機多数個を心軸に連結し、またはこれを大型化・重量化するとともに無限の引力を昼夜間断なき稼動で得た剰余電気をバッテリー蓄積し、究極としてその電気をベルト利用で本回転機に用いることにより引力を援用し、自給自足の態勢をつくりあげるものとする。
【図面の簡単な説明】
【０００９】
【図１】本発明の概略側面図
【符号の説明】
【００１０】    １．重り体    ２．バネ    ３．支板    ４．基盤    ５．連結部
【図１】
2006090291.tif 000003
【手続補正書】
【提出日】平成17年9月28日(2005.9.28)
【手続補正１】
【補正対象書類名】明細書
【補正対象項目名】００１０
【補正方法】追加
【補正の内容】
【００１０】１．重り体  ２．バネ  ３．支板  ４．基盤  ５．連結部  ６．心軸
【手続補正２】
【補正対象書類名】図面
【補正対象項目名】図１
【補正方法】変更
【補正の内容】
【図１】
2006090291.tif 000004
(57)【要約】      （修正有）【課題】取り外しが気軽で掃除が簡単に出来、機器が床下に据付けやすくなり、冷房効果も暖房効果を大きくすることが出来る空気吸込口上下交換機を提供する。【解決手段】  床から天井までの高さの箱を作り、その上部と下部の二箇所に、開け閉めの出来る蓋つきの吸い込み口を付ける。暖められた、あるいは冷された空気の吐き出し口とはなるべく離れた壁の所に、その箱を設置すること。さらに効率を良くするために、暖められた、あるいは冷された空気を下の方から吐き出す。【選択図】  図５
2006090688.tif 000002
【特許請求の範囲】
【請求項１】
室を冷房にするか、暖房にするかに応じて、室内の空気の吸込口を上方にしたり、下方にしたりすることができるようにしたことを特徴とする。
【請求項２】
冷房にするか、暖房にするかに応じて、上方か、下方の一方を閉じ、他方を開けることが出来るようにしたことを特徴とする。
【発明の詳細な説明】
【技術分野】
【０００１】  本発明は、冷暖房システムに関するものであり、空気を吸い込む所に工夫を加えることによって、冷暖房の効果を高めるようにしたものである。冷暖房された空気の吐き出し口を室内の壁の下方にすると効果は一層高まる。電気量の大きな節約にもつながる。
【背景技術】
【０００２】  従来、冷暖房機設備において、空気の吸込口は上方だけである。【０００３】  これには、次のような欠点がある。暖房時、暖められて吐き出された空気は、もともと室内にある空気より温度が高いため、室内の上方に昇り、それがそのまま上方に取り付けられている吸込口から吸い取られてしまう。そのため室内はなかなか暖められず、足元まで満足できる温度にしようとすれば、暖められた空気の吐き出す勢いを強くするか、暖房の設定温度を高くするなどして、一定時間あたりの使う電気の量を多くしなければならない。
【課題を解決するための手段】
【０００４】  床から天井までの高さの箱（１）の上方に、空気の吸込口（２）を設け、そのすぐ下に、蓋（３）を設ける。下方にも空気の吸込口（４）を設け、そのすぐ上に蓋（５）を設ける。蓋（３）と蓋（５）は蝶番（６）を付けて吸込口を開閉する。冷房する時には上方の吸込口（２）を開け、下方の吸込口（４）を閉める。暖房する時は逆に、上方の吸込口（２）を閉め、下方の吸込口（４）を開ける。上下とも空気の吸込口には、ほこりを取るためのフィルターを付ける。箱（１）の代わりにパイプを使っても良い。（図５参照）
本発明は、以上の構成で、冷房時、暖房時のそれぞれに応じた空気吸込口の上下可変機である。
【発明実施の形態】
【０００５】  以下、本発明の実施について説明する。
床から天井までの高さの箱（１）で、縦、横の長さは使用する冷暖房機の能力に応じて決め、上方の吸込口（２）、下方の吸込口（４）も同じく冷暖房機の能力に応じてその大きさを決める。箱（１）は冷暖房機の空気の吸込口と図３にあるパイプ（９）で繋げる。パイプ（９）は床下を這わせる。冷暖房機を天井に設置する場合はパイプは天井に這わせる。
この箱（１）は、冷暖房された空気の吐き出し口とは室の中で、なるべく離れた壁に設置する。壁に埋め込んで設置しても良い。
箱（１）の代わりにパイプを使う場合は図５を参照。
【発明の効果】
【０００６】  ▲１▼冷房の時には吸込口を上にすることで暑い空気を吸い上げて冷房する。▲２▼暖房のときは、吸込口を下にすることで、室の下方にある冷たい空気は吸い取られ、そのぶん上方の暖められた空気は下に降りてくるので、暖房の効果は大きくなる。このことは電気量の節約にもつながる。▲３▼吸込口に付けたほこりを取るためのフイルターは、冷暖房機に直接は組み込まれていないので、取り外しが気軽で、掃除が簡単に出来る。▲４▼箱（１）を設置することで冷暖房機が床下に据付けやすくなり、わざわざ壁の上方、あるいは天井に据付ける必要が無くなる。▲５▼冷暖房機を床下に据付けると冷暖房された空気は室内の壁の下の方から吐き出させるようにする事も容易になり、空気の物理的性質から、今回発明の空気吸込口上下交換機を設置することで、冷房効果も暖房効果もより一層大きくなる（図３と図４を参照）。それが簡単にできるようになる。▲６▼また、冷暖房機を床下に据付けることで、運転中の機械の振動を地面に吸収させることが出来、騒音をかなり低くすることが出来るも大きなメリットである。
【産業上の利用の可能性】
【０００７】  箱又はパイプの空気吸込口の広さは、冷暖房機本体の空気吸込口の広さ以上あれば性能上の問題は生じない。そこで例えば箱（１）の高さを２４００ミリと決めれば、縦、横の長さについては２つ位きめて、部品として量産することが可能である。縦と横の組み合わせは４通りのパターンが出来るので、室の形や大きさによって選べばよい。天井の高さがそれより高いものは、その高さにあわせて作る。
【図面の簡単な説明】
【０００８】
【図１】  本発明の斜視図である。上部の空気吸込口（２）が開いた状態。下部ではふたを半回転させて吸込口を閉じた状態。
【図２】  本発明の斜視図で、上部のふた（３）を半回転させて空気吸込口を閉じ、下部はふた（５）を半回転させて空気吸込口（４）を開いた状態。
【図３】  本発明の断面図である。冷房しているときの図で、左側の壁（１３）の下方にある空気の吐き出し口（１１）から冷やされた空気が吐き出され右側の壁（１３）の上方の吸込口（２）に吸い込まれていくまでを点線の矢印で示した。吐き出されてから吸い込まれる過程で冷された空気は拡散され、部屋は涼しくなる。
【図４】  本発明の断面図である。暖房しているときの図で左側の壁（１３）の下方にある空気の吐き出し口（１１）から暖められた空気が吐き出され、右側にある箱の下方の吸込口（４）に吸い込まれていくまでを点線の矢印で示した。
【図５】  パイプで空気吸込口交換機を作ったときの図である。暖房しているときの図で、基本的には図３と全く同じである。違いは吸込口を円形にして蓋をねじ式にした。蓋は上下兼用できる。冷房の時にはこの蓋を外して下方の吸込口（４）を閉める。吸込口のふさぎ方ははめ込み式でも良い。外壁と内壁の間が広ければそこにパイプを嵌め込んでも良い。
【符号の説明】
【０００９】  １    床から天井までの高さの箱
２    上部空気吸込口
３    上部空気吸込口の蓋
４    下部空気吸込口
５    下部空気吸込口の蓋
６    蝶番
７    冷暖房機
８    冷暖房機の外機
９    箱（１）と冷暖房機（７）をつなぐパイプ
１０  冷暖房機と室内吐き出し口（１１）をつなぐパイプ
１１  室内吐き出し口
１２  冷暖房機の外機（８）と冷暖房機（７）をつなぐパイプ
１３  内壁
１４  外壁
１５  パイプの上部空気吸込口
１６  パイプの下部空気吸込口
１７  パイプの空気吸込口の蓋
１８  地面
【図１】
2006090688.tif 000003
【図２】
2006090688.tif 000004
【図３】
2006090688.tif 000005
【図４】
2006090688.tif 000006
【図５】
2006090688.tif 000007
(57)【要約】      （修正有）【課題】  動物等の装飾体が面白みのある動きを行う掛時計を提供する。【解決手段】  時計盤１上の秒軸に歯車２を取り付け、前記歯車２にそれに連動する独立した歯車５，６を連結する。さらに秒針１０の先端に弾性体７を介して模型動物３を取り付けると共に、歯車５，６に目玉８，９を設ける。秒針の移動により、模型動物３が揺れると同時に目玉８，９が動く。【選択図】  図１
2006090997.tif 000002
【特許請求の範囲】
【請求項１】
歯車を設けた秒軸にそれぞれ独立する複数の歯車を連結し、秒針上に設けた弾力体に動物の模型を付けた事を特徴とする掛時計。
【発明の詳細な説明】
【技術分野】
【０００１】本発明は、掛時計に関する。
【背景技術】
【０００２】  従来の掛時計は振子等の動きを動物に見たてた物や秒軸の回転を利用して左右への反復運動を動物の模型に与えるもの等があった。
【特許文献】特開２０００−２６６８６９
【発明の開示】
【発明が解決しようとする課題】
【０００３】  しかしながら従来の物は主に左右への直線的な動きだけで面白みに欠けていた。
【課題を解決するための手段】
【０００４】  本発明は時計盤上に配した４個の歯車と秒針上に動物の模型の設けたことで上記課題を解決する。
【発明の効果】
【０００５】本発明は秒軸に設けた歯車に連動する、独立した３個の歯車を連結することで、各歯車と秒針が同時に進行する。
【発明を実施するための最良の形態・実施例】
【０００６】  本発明の時計は図１に示されるように時計盤１の秒軸に歯車２を設け、それに連動する３個の独立した歯車４．５．６を設ける。秒針１０上の弾力体７に模型動物３を付けることで秒軸の歯車２の移動により秒針１０上の弾力体７に付けた模型動物３が揺れ歯車５．６につけた目玉８．９が同時に動く。
【図面の簡単な説明】
【図１】本発明の構造図である
【図２】本発明の概観図である。
【符号の説明】
１  時計盤
２  歯車
３  模型動物
４  歯車
５  歯車
６  歯車
７  弾力体
８  目玉
９  目玉
１０  秒針
【図１】
2006090997.tif 000003
【図２】
2006090997.tif 000004